(57)【要約】【課題】本発明は、水分を透水性、保水性ブロックに供給する手段と雨水を地中に浸透する手段の提供にあるの提供にある。【解決手段】1ないし複数に区画した区画枠体において、各ブロック挿入部の形状を容器状とし、その上部に多孔性ブロックを挿入し、下部を雨水貯留空間とし、その間に毛管現象を生じさせる毛管部材を設け、貯留された雨水が上方の多孔性ブロックに移行するようにし、多孔性ブロック中の水分を気化させることで温度の低下をはかるブロック付き区画枠体である。【選択図】図1
2005307729.tif 000002
【特許請求の範囲】
【請求項１】
多孔性の透水性若しくは保水性ブロックであって、当該ブロックの下方部に遮水性の被覆を施したことを特徴とする被覆ブロック。
【請求項２】
1ないし複数の区画部を有する区画枠体において、各区画部の形状を容器状としたブロック挿入部とし、その上部に多孔性の透水性若しくは保水性ブロックを挿入し、下部を雨水を貯める貯留空間としたことを特徴とするブロック付き区画枠体。
【請求項３】
請求項2記載のブロック付き区画枠体において、貯留空間と多孔性の透水性もしくは保水性ブロックとの間を毛管現象を生じさせる毛管部材で繋げたことを特徴とするブロック付き区画枠体。
【請求項４】
1ないし複数の区画部を有する区画枠体において、所定の区画部の形状を容器状としたブロック挿入部とし、その上部に多孔性の透水性若しくは保水性ブロックを挿入し、下部を雨水を貯める貯留空間とし、他の区画部は雨水透水部とし過剰の雨水を流出もしくは地中に浸透させるように構成されたことを特徴とするブロック付き区画枠体。
【発明の詳細な説明】
【技術分野】
【０００１】
本発明は、ヒートアイランド現象を緩和する技術に属する。
【背景技術】
【０００２】
近年雨水を地中に還元することで下水道や都市河川に流入する雨水を低減し、下水処理場の負担を軽減したり、河川の氾濫を防止したりすることが重要な課題となっている。また、都市化により建物、道路の占める面積が高くなり、土で覆われた空間が極めて少なくなったため、土中に含まれる水分が揮発することがなくなり都市空間の温度が上昇するヒートアイランド現象が顕著となってきている。
このため、雨水を地中に還元しヒートアイランド現象を緩和するため透水性あるいは保水性舗装を施し、かかる現象を防止あるいは緩和するための処方が実施されてきている。その一環として透水性ブロックあるいは保水性ブロックを従来のアスファルト舗装やコンクリート舗装に替える動きがある。
特開平05-238802には、透水性ブロックあるいは保水性ブロックとして活性汚泥の焼却灰と下水汚泥溶融スラグ骨材とを混合し、成形乾燥後、焼成することで透水性レンガを製造する方法が開示されている。
また、特開2001-193006などに図６に示すような1ないし複数に区画された区画部からなり、各区画部にレンガ、木レンガ、石材を挿入あるいはコンクリートなどを打設して踏み盤とする枠体を、平面状に配列・連結することでブロック舗装とする技術が各種知られている。
ヒートアイランド現象の緩和はレンガ等のブロックに含まれる水分あるいはブロックを経由して移動する水分が蒸発することによる気化熱による。
【０００３】
【特許文献１】特開平05-238802
【特許文献２】特開2001-193006
【発明の開示】
【発明が解決しようとする課題】
【０００４】
本発明は、水分を透水性、保水性ブロックに供給する手段と雨水を地中に浸透する手段の提供にある。
【課題を解決するための手段】
【０００５】
本第1の発明は、多孔性の透水性若しくは保水性ブロックであって、当該ブロックの下方部に遮水性の被覆を施した被覆ブロックである。
本第2の発明は、1ないし複数の区画部を有する区画枠体において、各区画部の形状を容器状としたブロック挿入部とし、その上部に多孔性の透水性若しくは保水性ブロックを挿入し、下部を雨水を貯める貯留空間としたブロック付き区画枠体である。
本第3の発明は、本第2の発明におけるブロック付き区画枠体において、貯留空間と多孔性の透水性もしくは保水性ブロックとの間を毛管現象を生じさせる毛管部材で繋げたブロック付き区画枠体である。
本第4の発明は、1ないし複数の区画部を有する区画枠体において、所定の区画部の形状を容器状としたブロック挿入部とし、その上部に多孔性の透水性若しくは保水性ブロックを挿入し、下部を雨水を貯める貯留空間とし、他の区画部は雨水透水部とし過剰の雨水を流出もしくは地中に浸透させるように構成されたブロック付き区画枠体である。
【発明の効果】
【０００６】
本第1の発明は、多孔性ブロックの下方を遮水した。そのため、水分が遮水した下半分に貯留され、中に含まれる水分が地中に移動することがない。そのためブロック中に貯留された水分が長期間に亘って徐々に揮発する。そのため、含まれる水分の気化熱の有効利用が図れヒートアイランド現象が緩和される。
また第2の発明では、多孔性ブロックの下方に雨水の貯留部を設けているため、貯留部の水分が多孔性ブロックへ移動することで多孔性ブロックへの水分の供給が持続するためヒートアイランド現象が緩和される。
また第3の発明では、多孔性ブロックと雨水の貯留部間に毛管現象を生じさせる毛管部材を設けたため貯留部の雨水が多孔性ブロックに毛管現象によって供給され、貯留部の雨水が無駄なくヒートアイランド現象緩和に使用される。
第4の発明では、区画部の一部を透水部とし雨水が区画枠体の底部に流れるようになっているのでヒートアイランド現象の防止効果と路面上に雨水のたまらない効果が得られる。
【発明を実施するための最良の形態】
【０００７】
以下本発明を、図を用いて詳細に説明する。
図1は本第1の発明による被覆ブロックの概念図を示している。図に示すとおり本ブロックの下半分は遮水性の皮膜で覆われている。
本ブロックは、透水性あるいは保水性のブロック（以下ブロックと称する。）として一般に使用されるものである。遮水性の皮膜はペンキを塗ることでも、ゴム製の袋に入れることでも、またプラスチック製等の容器であってもよい。本ブロック中に含まれる水分が底面から地面に移動することを防止できればよい。
【０００８】
図２は、本第2の発明であるブロック区画枠体を利用したブロック付き区画枠体を示している。図は複数の区画部を有する区画枠体の１ブロック挿入部を示している。区画枠体の例を図7に示した。図7ａはブロック挿入部と透水部とに区画され、図7ｂはブロック挿入部から構成されている。
区画枠体は1ないし複数に区画され、そのブロック挿入部に前記ブロックを挿入する挿入部が設けられ、その下方に雨水などの水分を貯留する貯留部が設けられている。貯留部からの水分が上記ブロックに供給され、ブロック中の水分が揮発することで気化熱を奪うことで温度の低下を図るものである。各ブロック挿入部は全体として容器状とされ、貯留部の縁および／または貯留部の底部から立ち上がる突部がブロックの支持台となっている。本図に限らず、支持部の形状は適宜変えることができる。
【０００９】
図に示すように区画壁縁に設けたブロック支持部、貯留部の上方あるいは挿入部壁面に過剰の雨水を排出するための水抜き穴を設けておくことが好ましい。
【００１０】
図3は、本第3の発明であるブロックと区画枠体を利用したブロック付き区画枠体を示している。図は複数の区画部を有する区画枠体の１ブロック挿入部を示している。
図示したとおり区画枠体のブロック挿入部にはブロックが挿入され、貯留部は容器状となり雨水が貯まるようになっている。挿入部と貯留部の間には繊維状あるいはマット状の毛管現象が期待できる毛管部材が設けられ、ブロックに貯留部の雨水を供給できるようになっている。
【００１１】
毛管部材は上述した繊維状あるいはマット状の部材に限らず紐状の部材であってもよい。粒子状の部材が貯留部および挿入部下部に充填しておくことでもよい。ブロックが貯留部中の水と毛管部材を介して接する状態が保たれればよい。
【００１２】
図4に示した区画枠体は各ブロック挿入部が容器状になっているのは上記のとおりであるが、区画枠体全体を１つの容器状とした例であり、各ブロック挿入部下部の貯留部と透水部下部にも貯留できるようにしたものである。図4aに示す区画枠体の底に溝を切った例は、互に積み重ねられるようにした区画枠体である。
【００１３】
図5は、図4に示した区画枠体の断面を示した模式図であり、各ブロック挿入部下部の貯留部と透水ブ部下部に存在する空間にも雨水が貯留される状態を示している。
必要に応じて、各透水部下部に設ける貯留部には多孔性の粒体を充填しておくことが好ましい。
【００１４】
図6は、図4ａに示した区画枠体の4つのブロック挿入部の中心に存在する透水部を連通孔を介し区画枠体底部に設けた溝に連通するようにした例の断面図である。図示したとおり、連通孔は区画枠体底部に設けられた溝に連通し、貯留空間に貯留できない雨水を排水する。区画枠体を連結することで縦横に繋がる溝を形成し、この溝を介して過剰の雨水を排水もしくは地中に浸透させるようにしたものである。単に図7ａに示した区画枠体を用いても同様の効果が得られることはいうまでもない。
【００１５】
区画枠体の材質は射出成形の可能なポリプロピレン、ポリエチレン等の熱可塑性樹脂あるいは反応射出成形の可能な樹脂製あるいはステンレススチールあるいはアルミ合金が使用できる。
【図面の簡単な説明】
【００１６】
【図１】本発明である被覆ブロックの概念図である。
【図２】本発明である被覆ブロックを区画枠体のブロック挿入部に挿入した状態を示す概念図である。
【図３】ブロックを区画枠体のブロック挿入部に挿入した状態を示す概念図である。
【図４】区画枠体を1つの容器とした状態を示す概念図である。
【図５】区画枠体を1つの容器とし、ブロックを挿入した時の断面を示す概念図である。
【図６】区画枠体で透水部とに容器底部に設けた溝と連通する連通孔を設けた時の断面を示す概念図である。
【図７】本発明が適用される区画枠体の例を示す。
【符号の説明】
【００１７】
１  ブロック(多孔性もしくは被覆ブロック)
２  被覆
３  区画枠体
４  ブロック挿入部
５  透水部
６  貯留部
７  支持部
８  水抜き孔
９  毛管部材
１０  連通孔
【図１】
2005307729.tif 000003
【図２】
2005307729.tif 000004
【図３】
2005307729.tif 000005
【図４】
2005307729.tif 000006
【図５】
2005307729.tif 000007
【図６】
2005307729.tif 000008
【図７】
2005307729.tif 000009